(57)【特許請求の範囲】
【請求項１】
原動機からの回転運動を直線運動に変換し、この直線運動を一定角度内の回動運動に変換する機構を利用して槌打機を操作し、該槌打機の槌打作用によって集じん装置の電極枠に付着したダストを除去する集じん装置における槌打機構において、互いに同心状に配設された外輪と内輪を相対的に回転自在に組み合わせて出力軸に配設し、上記外輪に、動力が伝達される手段を一体的に設け、かつ上記外輪と内輪相互間に、外輪の回転運動を間歇的に内輪に伝達する係合部を設け、回転運動を直線運動に変換するクランク機構を上記出力軸に連結し、該クランク機構のクランクレバーが最上部付近に位置するとき上記外輪と内輪相互間の係合部の位置が最上部付近に位置するように形成し、上記クランクレバーが最上部付近を通過したとき、上記外輪と内輪の互いの係合部が解除されるようにするとともに、該係合部の解除に伴うクランクレバーの回転運動を利用して上記槌打機の槌打作用を行うようにしたことを特徴とする集じん装置における槌打機構。
【請求項２】
上記出力軸に緩衝手段を設けたことを特徴とする請求項１に記載の集じん装置における槌打機構。
【請求項３】
一端にハンマを支持し、かつ他端に支点を設けたハンマ棒の途中に、上記出力軸から出力される回転と静止を繰り返す回転運動を直線運動に変換する手段を連結して槌打作用を行うようにしたことを特徴とする請求項１または２に記載の集じん装置における槌打機構。
【発明の詳細な説明】
【０００１】
【発明の属する技術分野】
本発明は、電気集じん装置の電極に付着したダストを除去する集じん装置における槌打機構に関する。
【０００２】
【従来の技術】
電気集じん装置の集じん電極の配列は、図１２に示すように、＋の集じん電極ａと、−の放電電極ｂで構成されており、両電極ａ，ｂに高電圧をかけると、両電極ａ，ｂにダストｃが付着する。
−の放電電極ｂは、図１３に示すように、電極枠ｄに槌打座ｅが設けられており、この槌打座ｅをハンマーｆによって槌打して、放電電極ｂに付着したダストを除去している。
【０００３】
このような従来使用の槌打装置の例について、図１４〜図１８により説明する。
（１）リンク槌打機構
図１４ないし図１６は、リンク機構を用いたリンク槌打機構を示したものである。
【０００４】
リンク槌打機構では、図１５に示すように、駆動モータ２８によりチェン２９を介してチェンスプロケット３０、クランク軸３１（図１４参照）およびクランクレバー３２により構成されたクランク機構により引上金物３４を上下動する。クランクレバー３２は、絶縁用碍子３３に連結され、さらに、引上金物３４に連結されている。図１６に示すように、引上金物３４と下部クランク金物３５はピン３６により連結され、ハンマ軸４９を支点として、クランクレバー３２のストローク分を回転する。
また、下部クランク金物３５は、連結ピン３７によりテコ金物３８と連結されている。テコ金物３８には、後述する揺動金具４３と面タッチする揺動金具４２が取付けられ、下方には、テコ金物３８のバランスを調整する引上ロッド３９が連結ピン４０により連結されている。
【０００５】
そして、揺動金具４３が取付けられた揺動金物４４は、ハンマ軸４９を支点として回転し、ハンマ振上角度調整金物４５と調整ボルト４６でハンマ振上げ角度が調整されるよう構成されている。ハンマ振上角度調整金物４５は、ハンマ軸４９とテーパピン４７により固定され、ハンマ軸４９に回転を与え、ハンマ軸４９の他端に固定されたハンマｆを振上げる。
【０００６】
図１６は、引上金物３４が下限に到達した状態を示したものである。
クランクレバー３２の回転により引上金物３４が少し引上げられると、下部クランク金物３５が引上げられ、連結ピン３７によりテコ金物３８を引上げる。引上げられたテコ金物３８が、下方に連結された引上ロッド３９の下方への働きにより、時計回り方向に倒れると、揺動金具４２は直ちに揺動金具４３と面タッチする。
そして、面タッチした揺動金具４２と揺動金具４３は、摺動しつつ揺動金物４４を押上げる。さらに、引上金具３４を引上げていくと、揺動金具４２と揺動金具４３は、遂に、面タッチの範囲からはずれ、ハンマｆの自重により槌打座ｅを槌打する。テコ金物３８は、引上ロッド３９の下方に取付けられているストッパ４８により反時計回りに引張られ、元の状態にもどるように構成されている。
【０００７】
（２）カム槌打機構
図１７および図１８はカムを用いたカム槌打機構を示したものである。
カム軸５１に固着されたカム５２を駆動モータ（図示していない）により反時計回りに回転すると、カム５２の働きによりカムローラ５３を押し上げ、カム５２が１８０°回転することにより、カムローラ５３は上限に到達する。カム５２が、さらに僅かに回転するとカムローラ５３は、カムローラ５３に連結されている引上棒５４および後述の下部クランク５５と共に自重により急落下し、下部クランク５５に支持されたハンマｆが槌打座ｅを槌打する。
【０００８】
上記引上棒５４は、下部クランク５５と連結ピン５６で連結され、下部クランク５５には揺動金具５８が設けられ、揺動金物６０に設けられた揺動金具５９と面タッチしている。揺動金具５９が取付けられた揺動金物６０は、ハンマ軸６１を支点として回転し、ハンマ振上角度調整金物６２と調整ボルト６３で調整されるように構成されている。
ハンマ振上角度調整金物６２は、ハンマ軸６１とテーパピン６４により固定され、ハンマ軸６１に回転を与え、ハンマ軸６１の他端に固定されたハンマｆを振上げる。
そして、カムローラ５３の最上部がハンマｆを振上げた状態でカムローラ５３が最下点に落下することにより、ハンマｆは槌打座ｅを槌打する機構としている。
【０００９】
【発明が解決しようとする課題】
上述した従来の槌打装置によると次の様な課題がある。
（１）リンク槌打機構では、リンク機構部の揺動金具の摩耗が激しく定期点検時に常に取り替える必要が生じている。またリンク機構が複雑であり調整が難しい。
（２）カム槌打機構では、槌打機構としてはシンプルで、頑丈な構造であるため故障は少ないが、カム機構部のカムおよびカムローラの摩耗が激しい。
上記２例のほか、ハンマ軸を回転させるロートヒットがあるが、熱伸び対策、荷電区分化、碍子の汚れによる破損等の問題がある。
【００１０】
以上から、本発明は従来の槌打装置を改良し、点検作業の経費の節減や、また、公害問題の観点から集じん装置の健全性・信頼性の向上に役立てようとすることにある。
【００１１】
【課題を解決するための手段】
本発明は上記課題を解決するため、原動機からの回転運動を直線運動に変換し、この直線運動を一定角度内の回動運動に変換する機構を利用して槌打機を操作し、該槌打機の槌打作用によって集じん装置の電極枠に付着したダストを除去する集じん装置における槌打機構において、互いに同心状に配設された外輪と内輪を相対的に回転自在に組み合わせて出力軸に配設し、上記外輪に、動力が伝達される手段を一体的に設け、かつ上記外輪と内輪相互間に、外輪の回転運動を間歇的に内輪に伝達する係合部を設け、回転運動を直線運動に変換するクランク機構を上記出力軸に連結し、該クランク機構のクランクレバーが最上部付近に位置するとき上記外輪と内輪相互間の係合部の位置が最上部付近に位置するように形成し、上記クランクレバーが最上部付近を通過したとき、上記外輪と内輪の互いの係合部が解除されるようにするとともに、該係合部の解除に伴うクランクレバーの回転運動を利用して上記槌打機の槌打作用を行うようにしたことにある。
【００１２】
【発明の実施の形態】
以下本発明の実施の形態を、図面を参照しながら詳細に説明する。
図１は、本発明の実施の形態による集じん装置における槌打機構に用いるリリース・チェンホイルを示す断面図、図２は、図１のＡ〜Ａ線矢視断面図、図３は、本発明の実施の形態による集じん装置における槌打機構を示す正面図、図４は、下方を部分的に拡大して示す図３の縦断面図である。
【００１３】
図１〜図４により、本発明の実施の形態による集じん装置における槌打機構について説明する。
図１および図２は、集じん装置における槌打機構に用いるリリース・チェンホイル１０を示したものである。
リリース・チェンホイル１０は、外輪２と内輪３を同心状に配置したもので、外輪２には、回転動力が入力されるスプロケット１が一体に固定されている。上記外輪２と内輪３相互間に、外輪２の回転運動を間歇的に内輪３に伝達する係合部が設けられている。すなわち、外輪２には内面側に、係合部としての、つめ４が形成され、内輪３には外面側に外輪２の、つめ４に係合する係合部としての、つめ５が形成されている。
また、外輪２と内輪３とは、相互間にベアリング７が介在されて相対的に回転自在に構成されている。内輪３は回転軸６に固定されて、回転軸６から回転動力が出力される。
【００１４】
以上のように構成された外輪２が矢印方向に回転を与え、外輪のつめ４と内輪のつめ５との接触面が最上部に達し、通過すると同時に内輪３は後述するクランク機構以降の自重により急落下し、最下部にて停止する。外輪２は、設定された回転速度で回転を続け、最下部に待機する内輪３のつめ４と接触し、そのまま内輪３に回転を与え、最上部に至ると再び内輪３は急落下し、以降同作動を繰返す機構としている。
【００１５】
図３および図４は、上記のリリース・チェンホイル１０を集じん装置における槌打機構に適用した実施例である。
図３および図４において、原動機としての駆動モータ１１は、チェーン１２によりスプロケット１を回転させて、一定の速度でリリース・チェンホイル１０を駆動する。リリース・チェンホイル１０は、上記の動作をして出力軸となる回転軸６に前述の回転・停止の繰返しの回転を与える。
【００１６】
回転軸６にはクランクレバー１３が設けられ、リリース・チェンホイル１０からの回転出力がクランクレバー１３を介して出力される。クランクレバー１３は、クランクレバー１３が最下点に達した位置が、前述の内輪３のつめ５が最下点に到達した位置と一致するようにしている。クランクレバー１３には絶縁用碍子１４が接続されており、この絶縁用碍子１４の下方に、引上棒１５が接続されて、クランクレバー１３の動きに追従させて引上棒１５を上下動する構成である。
【００１７】
引上棒１５から下方の下部クランク金物１６、揺動金具１７，１８、揺動金物２０、ハンマ振上げ角度調整金物２１およびハンマ軸１９およびハンマｆを槌打する機構については、前述カム槌打機構のものと同機構である。
すなわち、引上棒１５は、下部クランク１６と連結ピン２２で連結され、下部クランク１６には揺動金具１７が設けられ、揺動金物２０に設けられた揺動金具１８と面タッチしている。揺動金具１８が取付けられた揺動金物２０は、ハンマ軸１９を支点として回転し、ハンマ振上角度調整金物２１と調整ボルト２０ａで調整されるように構成されている。
ハンマ振上角度調整金物２１は、ハンマ軸１９とテーパピン２１ａにより固定され、ハンマ軸１９に回転を与え、ハンマ軸１９の他端に固定されたハンマｆを振上げる。
そして、クランクレバー１３が最上点に達した位置でハンマｆを振上げた状態でリリース・チェンホイル１０の外輪２のつめ４が内輪３のつめ５から解除されてクランクレバー１３が自重により最下点に落下する。こうして、ハンマｆは槌打座ｅを槌打して集じん装置の電極等に付着したダストを落とす。
【００１８】
以上説明のような上記実施例によると、次のような作用と効果が期待できる。
（１）槌打機構に摺動部がなく、従来機構に比べて摩耗が極限する。したがって、耐久期間が長く、部品の取替えが少なく点検回数が減る。
（２）本発明のリリース・チェンホイル槌打機構は、構造が簡単で部品点数が少なく保守・点検が容易である。
（３）外部より稼動状態が把握できる。
（４）本発明のリリース・チェンホイルと既設のチェンスプロケットとの交換は、既設の周辺部分が現状のままで取替え可能であり、他の部品についても僅少の経費で交換できる。
【００１９】
図５ないし図７は、本発明の集じん装置における槌打機構の他の実施例で図４と同一部分は同符号を伏して説明する。
本実施例２は、実施例１で記載した電気集じん装置の電極に付着したダストを除去する槌打装置（図４）において、回転軸６に、クランクレバー１３を取付けた側と反対側の軸端に、緩衝手段としてショックアブソーバ７１を装備したものである。
【００２０】
すなわち、図５において、駆動モータ（図示省略）によってリリース・チェンホイル１０を介して回転軸６を駆動し、クランクレバー１３を回転させる。クランクレバー１３を回転させることによって、クランク機構に連結された絶縁用碍子１４と、その絶縁用碍子１４の下方に連結された引上棒１５を上下動させる。引上棒１５は下部クランク１６にピン２２で接続されており、下部クランク１６には、揺動金物１７が設けられている。この下部クランク１６に設けた揺動金物１７で、ハンマ軸１９に接続されている揺動金物１８を押し、ハンマ軸１９を支点としてハンマ軸１９を回転させて、ハンマｆを振上げさせる。そして、リリース・チェンホイル１０の回転によりハンマｅは自重により槌打座ｅを槌打するものである。そして、ハンマｆの振上げ、槌打の繰返し作動を行う。
【００２１】
前述の実施例１のクランク機構とリリース・チェンホイル１０を併用した集じん装置における槌打機構によると、クランクレバー１３に連結された絶縁用碍子１４は、クランクレバー１３の上下動毎に伸縮の応力を受ける。また、ハンマｆの振り下ろしと、槌打座ｅを槌打後の反力等が引上げ棒１５に伝わり、その反力の衝撃を受けている。
【００２２】
そこで、本実施例２は、回転軸６に、クランクレバー１３を取付けた側と反対の軸端にショックアブソーバ７１を取付け、前述の伸縮応力や衝撃を軽減しようとするものである。
ショックアブソーバ７１は、シリンダ７２の内部に適量の油脂類を充填し、ピストン７３で圧入するよう構成され、ピストン７３をシリンダ７２の内部に押し込むことにより充填された油脂の抗力を利用し、ピストン７３と連結されたクランクレバー７４を介し、回転軸６からの衝撃を緩和しようとするものである。このように形成されたショックアブソーバ７１に接続されたクランクレバー７４と、絶縁用碍子１４上部のクランクレバー１３とのタイミング調整を行い、絶縁用碍子１４に加わる伸縮の応力と、ハンマｆの振り下ろしと、槌打座ｅを槌打後の反力等の衝撃を緩和する。
【００２３】
以上説明のような実施例２によると、次のような作用と効果が期待できる。
（１）クランク機構、リリース・チェンホイル１０及びショックアブソーバ７１の併用により、絶縁用碍子１４に接続されているクランクレバー１３の上下動による伸縮応力や、ハンマｆ槌打後の反力等の絶縁用碍子１４に与える衝撃を減少し、絶縁用碍子１４の破壊を防止できる。したがって、耐久期間が長く、部品の取替えが少なく点検回数が減る。
（２）リリース・チェンホイル槌打機構は、構造が簡単で部品点数が少なく保守・点検が容易である。
（３）リリース・チェンホイル１０との併用により、既設のチェンスプロケットとの交換は、既設の周辺部分が現状のままで取替え可能であり、他の部品についても僅少の経費で交換できる。
【００２４】
図８および図９は、本発明による集じん装置における槌打機構の他の実施例であり、図４と同一部分は同符号を付して説明する。
本実施例３に記載する槌打機構は、集じん機本体のケーシング８１の上方に設置された外部方式の槌打機構である。
本実施例３は、集じん電極のカム槌打機構に替え、クランク機構とリリース・チェンホイルとを併用した槌打機構としたものである。
図８及び図９において、集じん装置のケーシング８１の上面に槌打座８２が設けられている。そして、槌打座８２は、複数の集じん電極（または集じん電極枠）８３を連結した連結棒８４の上方に取付けられている。ハンマ８０は、軸受金物８５を支点として槌打座８２を槌打するように形成されている。一方、駆動モータ１１は、リリース・チェンホイル１０及び回転軸６を介し、クランクレバー１３を回転駆動する。そして、リリース・チェンホイル１０とクランク回転機構とが併用されているため、ハンマ棒８６を懸吊している引上棒８７を上下動させる。そして、ハンマ棒８６の先端部に取付けられているハンマ８０を槌打・一時停止のタイミング調整ができるように構成されている。
【００２５】
以上説明した実施例３によると、次のような作用と効果が期待できる。
（１）集じん装置のケーシング８１上方に設置された集じん電極８３の外部方式槌打装置において、クランク機構とリリース・チェンホイル槌打機構併用により、従来技術で使用されていたカムやカムローラのような減耗がなくなり、ハンマ８０の槌打・一時停止のタイミング調整が可能であり、構造が簡単で部品点数が少なく、槌打装置の保守・点検が容易である。
（２）クランク回転機構とリリース・チェンホイル１０との併用により、既設のカム及びカムローラとの交換は、既設の周辺部分が現状のままで取り替え可能であり、他の部品についても僅少の経費で交換できる。
【００２６】
図１０および図１１は、本発明の他の実施例であり、図８および図９と同一部分は同符号を伏して説明する。
図１０および図１１において、本実施例４に記載する槌打装置は、集じん機本体のケーシング９１の上方に設置された、放電電極の外部方式の槌打装置である。
図１０及び図１１において、ケーシング９１の上面に槌打座９２が設けられている。そして、槌打座９２は、複数の放電電極（または放電電極枠）９３を連結した連結棒９４の上方に取付けられている。ハンマ９０は、絶縁用碍子９８の上部に設置された軸受金物９５を支点として槌打座９２を槌打するように形成されている。一方、駆動モータ１１は、リリース・チェンホイル１０及び回転軸６を介し、クランクレバー１３を回転駆動する。そして、リリース・チェンホイル１０とクランク回転機構とによって、ハンマ棒９６を懸吊している絶縁用碍子９７を上下動させる。こうして、ハンマ棒９６の先端部に取付られているハンマ９０を槌打・一時停止のタイミング調整ができるように構成されている。
【００２７】
以上説明のような実施例４によると、次のような作用と効果が期待できる。
（１）放電電極９３のケーシング９１上方に設置された外部方式の槌打機構において、クランク機構とリリース・チェンホイル槌打機構併用により、従来技術で使用されていたカムやカムローラのような減耗がなくなり、ハンマ９０の槌打・一時停止のタイミング調整が可能であり、構造が簡単で部品点数が少なく、槌打装置の保守・点検が容易である。
（２）リリース・チェンホイル１０の使用により、ハンマ棒９６を懸吊している絶縁用碍子９７や軸受金物９５が設置されている絶縁用碍子９８の損壊を防止できる。
（３）クランク回転機構とリリース・チェンホイル１０との併用により、既設のカム及びカムローラとの交換は、既設の周辺部分が現状のままで取替え可能であり、他の部品についても僅少の経費で交換できる。
【００２８】
なお、本発明は上記実施の形態のみに限定されるものではなく、例えば、上記実施例では、外輪から回転動力を入力して内輪から出力したが、内輪から入力して外輪側から出力するようにしてもよく、また、クランク回転機構から槌打機に動力を伝達する機構としては、種々の機構を適用することができる。等、その他、本発明の要旨を変更しない範囲内で適宜変更して実施し得ることは言うまでもない。
【００２９】
【発明の効果】
以上述べたように本発明による集じん装置における槌打機構によれば、以下のような効果を奏する。
請求項１において、原動機からの回転運動を直線運動に変換し、この直線運動を一定角度内の回動運動に変換する機構を利用して槌打機を操作し、該槌打機の槌打作用によって集じん装置の電極枠に付着したダストを除去する集じん装置における槌打機構において、互いに同心状に配設された外輪と内輪を相対的に回転自在に組み合わせて出力軸に配設し、上記外輪に、動力が伝達される手段を一体的に設け、かつ上記外輪と内輪相互間に、外輪の回転運動を間歇的に内輪に伝達する係合部を設け、回転運動を直線運動に変換するクランク機構を上記出力軸に連結し、該クランク機構のクランクレバーが最上部付近に位置するとき上記外輪と内輪相互間の係合部の位置が最上部付近に位置するように形成し、上記クランクレバーが最上部付近を通過したとき、上記外輪と内輪の互いの係合部が解除されるようにするとともに、該係合部の解除に伴うクランクレバーの回転運動を利用して上記槌打機の槌打作用を行うようにしたので、槌打機構に摺動部がなく、従来機構に比べて摩耗が極限する。したがって、耐久期間が長く、部品の取替えが少なく点検回数が減少する。また、絶縁用碍子に接続されているクランクレバーの上下動による伸縮応力や、ハンマ槌打後の反力等の絶縁用碍子に与える衝撃を減少し、絶縁用碍子の破壊を防止できる。したがって、耐久期間が長く、部品の取替えが少なく点検回数が減少する。
請求項２において、上記出力軸に緩衝手段を設けたので、絶縁用碍子に接続されているクランクレバーの上下動による伸縮応力や、ハンマ槌打後の反力等の絶縁用碍子に与える衝撃を減少し、絶縁用碍子の破壊を防止できる。したがって、耐久期間が長く、部品の取替えが少なく点検回数が減る。
請求項３において、一端にハンマを支持し、かつ他端に支点を設けたハンマ棒の途中に、上記出力軸から出力される回転と静止を繰り返す回転運動を直線運動に変換する手段側を連結して槌打作用を行うようにしたので、従来技術で使用されていたカムやカムローラのような減耗がなくなり、ハンマの槌打・一時停止のタイミング調整が可能であり、構造が簡単で部品点数が少なく、槌打装置の保守・点検が容易である。また、リリース・チェンホイルの使用により、ハンマ棒を懸吊している絶縁用碍子や軸受金物が設置されている絶縁用碍子の損壊を防止できる。さらに、クランク回転機構とリリース・チェンホイルとの併用により、既設のカム及びカムローラとの交換は、既設の周辺部分が現状のままで取替え可能であり、他の部品についても僅少の経費で交換できる。
【図面の簡単な説明】
【図１】本発明の実施の形態による集じん装置における槌打機構に用いるリリース・チェンホイルを示す断面図である。
【図２】図１のＡ〜Ａ線矢視断面図である。
【図３】本発明の実施の形態による集じん装置における槌打機構を示す正面図である。
【図４】  下方を部分的に拡大して示す図３の縦断面図である。
【図５】  本発明の他の実施の形態による集じん装置における槌打機構を示す正面図である。
【図６】  図５（Ｂ部）の拡大図である。
【図７】図６の矢視（Ｃ−Ｃ）のショックアブソーバ機構を示す正面図である。
【図８】本発明の他の実施の形態による集じん装置における槌打機構におけるクランク機構及びリリース・チェンホイルの取付状態を示す側面図である。
【図９】集じん装置内部の集じん電極枠と槌打座の位置関係を示す斜視図である。
【図１０】本発明の他の実施の形態による集じん装置における槌打機構におけるクランク機構及びリリース・チェンホイルの取付状態を示す側面図である。
【図１１】集じん装置内部の放電電極枠と槌打座の位置関係を示す斜視図である。
【図１２】電気集じん装置の集じん電極の配列を示す概念図である。
【図１３】図１２の−の放電電極を示す概念図である。
【図１４】従来のリンク機構を用いたリンク槌打機構における上部のクランク機構部を示す側面図である。
【図１５】従来のリンク機構を用いたリンク槌打機構を示す正面図である。
【図１６】図１５の矢視Ｄ〜Ｄ線断面を示すリンク機構部の拡大図である。
【図１７】カム槌打機構の下限到達時の状態を示す正面図である。
【図１８】図１７の矢視Ｅ〜Ｅ線断面を示す拡大図である。
【符号の説明】
１  スプロケット
２  外輪
３  内輪
４，５  つめ（係合部）
６  回転軸（出力軸）
７  ベアリング
１０  リリース・チェンホイル
１１  駆動モータ（原動機）
１２  チェーン
１３  クランクレバー
１４  絶縁用碍子
１５  引上棒
１６  下部クランク金物
１７，１８  揺動金具
１９  ハンマ軸
２０  揺動金物
２１  ハンマ振上げ角度調整金物
２２  連結ピン
７１  ショックアブソーバ
８０  ハンマ（槌打機）
８１  ケーシング
８２  槌打座
８６  ハンマ棒
ｆ  ハンマ（槌打機）
ｅ  槌打座
【図１】
0004055837.tif 000002
【図２】
0004055837.tif 000003
【図３】
0004055837.tif 000004
【図４】
0004055837.tif 000005
【図５】
0004055837.tif 000006
【図６】
0004055837.tif 000007
【図７】
0004055837.tif 000008
【図８】
0004055837.tif 000009
【図９】
0004055837.tif 000010
【図１０】
0004055837.tif 000011
【図１１】
0004055837.tif 000012
【図１２】
0004055837.tif 000013
【図１３】
0004055837.tif 000014
【図１４】
0004055837.tif 000015
【図１５】
0004055837.tif 000016
【図１６】
0004055837.tif 000017
【図１７】
0004055837.tif 000018
【図１８】
0004055837.tif 000019